(57)【要約】この発明によると、ハウジング１６およびスプレー噴霧器１３を有する噴霧手段が提供され、ハウジング１６は第１の部分および第２の部分を有し、ハウジングは、それが使用されている場合に第２の部分が第１の部分から離れる方を向くように第１の部分を地面より上方で建築構造に固定できるように形成され、ハウジング内には空間があり、スプレー噴霧器１３はその空間内でハウジングに着脱可能に装着されるように適合され、スプレー噴霧器はスプレー排出部１４およびスプレー材料貯蔵部１５を有し、スプレー排出部１４およびスプレー材料貯蔵部１５は互いに対して着脱可能であり、噴霧手段は、それが動作可能である場合に噴霧器１３が実質的にハウジング１６内からハウジングの外側の領域にスプレー材料のスプレーを自動的に放出できるように形成される。
2004513770.tif 000002
【特許請求の範囲】
【請求項１】
ハウジングおよびスプレー噴霧器を有する噴霧手段であって、前記ハウジングは第１の部分および第２の部分を有し、前記ハウジングは、それが使用されている場合に第２の部分が前記第１の部分から離れる方を向くように前記第１の部分を地面より上方で建築構造に固定できるように形成され、前記ハウジング内には空間があり、前記スプレー噴霧器は前記空間内で前記ハウジングに着脱可能に装着されるように適合され、前記スプレー噴霧器はスプレー排出部およびスプレー材料貯蔵部を有し、前記スプレー排出部およびスプレー材料貯蔵部は互いに対して着脱可能であり、前記噴霧手段は、それが動作可能な場合に前記スプレー噴霧器が実質的に前記ハウジング内から前記スプレー材料のスプレーを前記ハウジングの外側の領域に自動的に放出できるように形成される、噴霧手段。
【請求項２】
前記ハウジングは、前記スプレーが前記ハウジングの外面にごく近いところの前記スプレーの動きの方向に関して実質的に垂直および／または実質的に水平に前記ハウジングの外側の領域に放出され得るように形成される、請求項１に記載の噴霧手段。
【請求項３】
前記ハウジングは、前記スプレー噴霧器が前記ハウジングから許可なく取外されるのを防止するためにロック手段を有する、請求項１または２に記載の噴霧手段。
【請求項４】
前記ロック手段は、前記ハウジングの前記第１の部分および第２の部分を互いに対してロックするように作動させることができる、請求項３に記載の噴霧手段。
【請求項５】
前記ハウジングの前記第１の部分および第２の部分は、前記スプレー噴霧器の前記ハウジングからの取外しまたは前記スプレー噴霧器の前記ハウジングへの挿入を容易にするために、互いから着脱可能である、請求項１から４のいずれかに記載の噴霧手段。
【請求項６】
前記ハウジングの前記第１の部分は、前記建築構造に取付けるように適合される板を含む、請求項１から５のいずれかに記載の噴霧手段。
【請求項７】
前記ハウジングの前記第２の部分は、前記ハウジングの前記第１の部分に取付け可能なカバーを含む、請求項１から６のいずれかに記載の噴霧手段。
【請求項８】
前記ハウジングの前記第２の部分は、前記スプレー材料が前記ハウジング内から前記ハウジングの外側へ移動する際に通り抜けることのできる開口部を有する、請求項１から７のいずれかに記載の噴霧手段。
【請求項９】
前記ハウジングの前記第１の部分は内側環状部を有し、前記環状部は前記スプレー噴霧器の一部分を形成するフックを受入れるように適合される、請求項１から８のいずれかに記載の噴霧手段。
【請求項１０】
前記ハウジングの前記第１の部分は、前記スプレー噴霧器が前記ハウジングに装着される場合に前記スプレー噴霧器が安定器に当接し、このことによって前記スプレー噴霧器が実質的に垂直の配向を得るのが支援されるように配置され、前記ハウジングの前記第２の部分の方に突出する、安定器を有する、請求項１から９のいずれかに記載の噴霧手段。
【請求項１１】
前記スプレー噴霧器は全体的に前記ハウジング内に収まり得る、請求項１から１０のいずれかに記載の噴霧手段。
【請求項１２】
前記ハウジングの前記第１の部分は、前記建築構造に取付けるように適合される板を有し、前記スプレー噴霧器は、前記板に解放可能に取付け得るブラケットを有し、前記ブラケットは実質的に前記スプレー排出部を受入れるための棚板を有し、前記棚板は、それを通って前記スプレー排出部分がねじで装着される関係で前記スプレー材料貯蔵部分に係合することのできる開口部を有する、請求項１から５のいずれかに記載の噴霧手段。
【請求項１３】
スプレーを空気中に噴霧する方法であって、
ｉ）　請求項１から１２のいずれかに記載の噴霧手段を獲得し、実質的に前記ハウジング内で前記スプレー噴霧器を前記建築構造に対して装着するステップと、
ｉｉ）　前記スプレー噴霧器を動作させて、スプレーの制御された定期的な用量を自動的に空気中に散布するステップとを含む、方法。
【請求項１４】
前記スプレーは、殺虫剤、香水、消臭剤または薬である、請求項１３に記載の方法。
【請求項１５】
前記スプレーは、実質的に垂直な進行経路でスプレー噴霧器から前進する、請求項１３または１４に記載の方法。
【請求項１６】
前記スプレー噴霧器は、予め定められた時間後に自動的に動作を停止するように設定される、請求項１３、１４または１５に記載の方法。
【発明の詳細な説明】
【０００１】
【技術分野】
この発明は噴霧手段に関する。特にこの発明の好ましい形は、スプレーを空気中に放出する状況で使用するための噴霧手段に関する。
【０００２】
【背景技術】
望ましくない虫または不快な臭いの存在をなくすために定期的に殺虫剤、香水等のスプレーを規定された領域に放出することが知られている。このプロセスは、通常エアロゾルスプレー噴霧器を使用して手動で行なわれるが、これは、定期的にスプレーを放出させることを覚えておかなければならないため、不便であり得る。これに加えて、さらに不便なのは、このプロセスが手動で行なわれるという本質のため、スプレーの量に関して一定の用量を放出することが難しいことである。したがって、この発明の少なくとも１つの実施例の目的は、少なくとも上述の不便な点に対処する方向に向かうことであり、または少なくとも役立つ選択肢を一般の人々に提供することである。
【０００３】
この文書中、「含む（ｃｏｍｐｒｉｓｅ）」、「含む（ｃｏｍｐｒｉｓｅｓ）」、または「含んでいる（ｃｏｍｐｒｉｓｉｎｇ）」という言葉が使用されている場合、排他的でないものとして、すなわち「からなる（ｃｏｎｓｉｓｔｉｎｇ ｏｆ）または含む（ｉｎｃｌｕｄｉｎｇ）」を意味するものとして理解されたい。
【０００４】
【発明の開示】
この発明の一局面によると、ハウジングおよびスプレー噴霧器を有する噴霧手段が提供され、ハウジングは第１の部分および第２の部分を有し、ハウジングは、それが使用されている場合に第２の部分が第１の部分から離れる方を向くように第１の部分を地面より上方で建築構造に固定できるように形成され、ハウジング内には空間があり、スプレー噴霧器はその空間内でハウジングに着脱可能に装着されるように適合され、スプレー噴霧器はスプレー排出部およびスプレー材料貯蔵部を有し、スプレー排出部およびスプレー材料貯蔵部は互いに対して着脱可能であり、噴霧手段は、それが動作可能である場合にスプレー噴霧器が実質的にハウジング内から自動的にスプレー材料のスプレーをハウジングの外側の領域に放出できるように形成される。
【０００５】
噴霧手段は、スプレーがハウジングの外面にごく近いところのスプレーの動きの方向に関して実質的に垂直および／または水平にハウジングの外側の領域に放出され得るように形成されるのが望ましい。
【０００６】
噴霧手段は、スプレー噴霧器が許可なくハウジングから取外されるのを防止するためにロック手段を有するのが好ましい。
【０００７】
任意で、ロック手段を作動させてハウジングの第１の部分および第２の部分を互いに対してロックすることができる。
【０００８】
任意で、ハウジングの第１の部分は、建築構造に取付けるように適合される板を含む。
【０００９】
任意で、ハウジングの第２の部分は、ハウジングの第１の部分に取付け可能なカバーを含む。
【００１０】
ハウジングの第２の部分は、スプレー材料がハウジング内からハウジングの外側に移動する際に通り抜けることのできる開口部を有するのが好ましい。
【００１１】
任意で、ハウジングの第１の部分は内側環状部を有し、環状部はスプレー噴霧器の一部分を形成するフックを受入れるように適合される。
【００１２】
任意で、ハウジングの第１の部分は安定器を有し、これは、ハウジングの第２の部分に向かって突出し、スプレー噴霧器がハウジングに装着されている場合にスプレー噴霧器が安定器に当接し、このことによってスプレー噴霧器が実質的に垂直な配向を得るのが支援されるように構成される。
【００１３】
スプレー噴霧器は全体的にハウジング内に装着されるのが好ましい。
この発明のさらなる局面では、空気中にスプレーを噴霧する方法が提供され、
ｉ）　上述の噴霧手段を獲得するステップと、
ｉｉ）　スプレー噴霧器を動作させて、スプレーの制御された定期的な用量を自動的に空気中に散布するステップとを含む。
【００１４】
この発明のいくつかの好ましい局面および実施例を、例を示すことによって、および／または添付の図面を参照して、説明する。
【００１５】
［詳細な説明］
図１を参照すると、ハウジング１は、実質的に背板２の形の第１の部分、および前方カバー３の形の第２の部分を有する。図示のように、カバー３は、ハウジングが使用されている場合にスプレー材料の放出を可能にする開口部４を有する。開口部４は、スプレー材料がハウジング１に接触することなくそこを通り抜けられるようにに十分な大きさであることが好ましい。このことは、時とともにスプレー材料がハウジング１を汚す、腐食させる、またはさもなければ悪影響を及ぼすことがないようにするために望ましい。ハウジング１は、図２に示されるスプレー噴霧器５を受入れかつ保持するように適合される。
【００１６】
図２を参照すると、スプレー噴霧器５は、スプレーヘッド６の形のスプレー排出部を有し、実質的に円筒形の形状の缶（ｃａｎｉｓｔｅｒ）７の形のスプレー材料貯蔵部も有する。スプレーヘッド６および缶７は、缶７内のスプレー材料が使い果たされたときに缶７を新しいものと交換できるように着脱可能であることが好ましい。スプレーヘッド６はスイッチ８を有し、これを作動させてスプレー噴霧器５を動作可能にすることができる。スプレー噴霧器５が動作可能な場合、スプレーヘッド６は缶７からスプレー材料の供給を受け、それを外側に突出するノズル９から水平のスプレーとして放出する。図示のように、ノズル９は、スプレーを放出するための短いチューブ９ａを組み込んでもよい。この発明の別の実施例では、スプレーが水平ではなく垂直になるように配置してもよい。スプレー噴霧器５がハウジング１に装着されている場合、スプレー材料がハウジングに妨害されずにハウジング１の外側に噴霧されるように、ノズル９はハウジングの開口部４と整列する。
【００１７】
スプレーヘッド６は、スプレー材料の定期的な計量された用量をハウジング１の周りの空気中にスプレー（たとえば霧）として自動的に噴霧できることが好ましい。スプレーヘッド６は、その内部構成要素に動力を与えるためにバッテリまたはその他の電源を有してもよい。内部構成要素は、缶７からスプレーヘッド６へのスプレー材料の流れを調整するための電磁弁（図示せず）、およびスプレー材料の放出のタイミングおよび量に関してバルブの開閉を調整するための電子機器を含んでもよい。電子機器は、スプレー噴霧器５が予め定められた時間後に運転を停止するように、すなわち必要でない場合にはスプレー噴霧器５が連続して作動しないように、構成してもよい。スプレー噴霧器５は、手動でも停止することができる。任意で、スプレーヘッド６は、電子機器の働きを調節するためにプログラム可能であってもよい。
【００１８】
図３を参照すると、背板２は壁の高い位置に固定してもよい。図示のように、背板２は、フック１１を受入れるために環状部１０（たとえば部分的または完全なリング）を有し、フック１１はスプレー噴霧器５の一部分を形成する。フックは図２ａにさらに詳細に示される。背板２は突出する安定器１２も有し、これは環状部１０から間隔を空けて下方に位置付けられる。スプレー噴霧器５がハウジング１に装着されている場合、フック１１は環状部１０に引っ掛けられている。スプレー噴霧器５の下方部分は安定器１２に自由に当接して、スプレー噴霧器５を実質的に垂直の配向に維持する。カバー３は、スプレー噴霧器５を実質的に封じ込めるように、背板２に留めるか、またはそうでなければ固定することができる。所望であれば、スプレー噴霧器５をハウジングから取外して、ハウジングから独立して使用することができる。
【００１９】
ハウジング１およびスプレー噴霧器５は、組み合わされている場合、建物の内壁または外壁の高いところに固定することができる。スプレーヘッド６は、所望に応じて周りの空気中にスプレーを散布するように設定できる。スプレーは、エアロゾルの種類のものでもよく、害虫を殺すか、または追い払うための殺虫剤、香水、消臭剤、薬または好適な物質であれば本質的にどのようなものであってもよい。この発明のいくつかの実施例では、スプレーは、目に見えない気体の材料であってもよく、このため、ここで使用される「スプレー」という言葉はこのような可能性を含むよう広く解釈されたい。この発明のいくつかの実施例では、スプレー噴霧器５は、２つ以上の物質のスプレーを放出するように適合されてもよく、各物質は同時または連続してスプレーされる。
【００２０】
ハウジング１は、使用中、ノズル９またはその部品が見えてもよい他は、スプレー噴霧器５を実質的に隠すことが好ましい。場合によっては、スイッチ８はハウジング１の外側からアクセス可能であってもよい。ハウジング１は、スプレー噴霧器５が許可のない人々によって取外される、および／または容易に破損されないように、ロックすることも可能である。
【００２１】
ハウジング１は、それが使用される建物の装飾に合うように形成または（たとえば塗装によって）着色してもよい。ハウジング１は、持ち運び可能であり、かつ（たとえばねじ等によって）固定可能であって、後にそれをどこか他の場所で使用したい場合に建物から取外すことができるようになっているのが好ましい。
【００２２】
この発明のいくつかの実施例では、ハウジング１は、スプレー噴霧器５にアクセスできるように扉を有してもよい。ハウジング１は、プラスチック材料、金属材料、木製材料、またはその他好適な材料で形成し得る。場合によっては、スプレー噴霧器５には、建物の主電源に接続される変圧器を介してＤＣ電源によって電力を供給してもよい。
【００２３】
添付の図面を参照して説明したこの発明の利点は、スプレー噴霧器をハウジング１から容易に取外せることである。したがって、スプレー噴霧器５またはその部分はハウジング１と一体化していない。
【００２４】
この発明のいくつかの実施例では、スプレー噴霧器のためのハウジングを壁の窪みで使用してもよい。こうすると、スプレー噴霧器を少なくとも部分的に窪み内に収めて、前方カバーによって実質的に見えなくすることができる。前方カバーは壁の外面と同一平面にあってもよいし、そうでなくてもよい。
【００２５】
図４を参照すると、代替のスプレー噴霧器およびハウジングの組合せが示される。この代替の配置では、スプレー噴霧器１３はスプレーヘッド１４およびスプレー材料を含む缶１５（一部分のみ図示）を有する。缶１５は、ねじによってスプレーヘッド１４に装着することができ、後にスプレー材料が使い果たされた場合には取外して取替えることができる。スプレー噴霧器１３のハウジング１６は背板１７を含み、これは水平方向に間隔を空けられた上方に突出するフック１８の対（その１つのみを図示）を有する。使用中、板１７は、たとえば壁などの高い位置に固定される。
【００２６】
図５を参照すると、スプレー噴霧器１３はブラケット１９を含み、これは垂直に配向される開口部２０および１つの水平に配向される開口部２１を有する。ブラケット１９は、垂直に配向される開口部２０を介して上方に突出するフック１８に引っ掛けることによって背板１７に吊るすことができるように形成される。図示のように、ブラケット１９の水平に配向される開口部２１はブラケット１９の棚板２２内に形成される。スプレーヘッド１４は、スプレーヘッド１４の下向きの取付具１４ａ（図４を参照）が水平に配向される開口部２１を通って突出するように棚板２２に配置することができる。缶１５をスプレーヘッド１４の下向きの取付具にねじで固定して、スプレー噴霧器１３の残りの部分にきつく組合された状態でブラケットを維持することができる。ハウジング１６は、背板１７に着脱可能に装着してスプレー噴霧器１３を実質的に隠すことができる前方カバーを有する。スプレー噴霧器１３は、ハウジング１６の前方カバーを取外し、背板のフック１８からそれを外すことによってハウジング１６から取外すことができる。スプレーヘッド１４および缶１５は、後に新しい缶等を装着するためにねじを緩めて互いから取外すことができる。
【００２７】
さらに図４を参照すると、スプレー噴霧器１３は、ハウジング１６の前方カバーの外側の開口部２３を介してスプレーを排出することができる。スプレーヘッド１４は、スプレーがハウジング１６の前方カバーの面に接触することなく通り抜けられるように、開口部２３の十分近くにあることが好ましい。このことは、２４に示されるように、前方カバーがスプレーヘッド１４の方に凹んでいることによって容易になる。この構成によって、スプレー材料がハウジング１６の外見を汚したり、またはさもなくば不本意にハウジング１６の外見を損なうことがなくなる。スプレーヘッド１４は、スプレーヘッド１４からのスプレー材料の滴が重力によってハウジング内に落ちるように、すなわち滴がハウジング１６の外面を流れ落ちることがないように、ハウジング１６の前方カバーから十分に間隔を空けられることが好ましい。前方カバーからのスプレーヘッド１４の間隔、および外側の開口部２３の大きさは、スプレーヘッド１４から出る際に作られるスプレーの形状に依存する。
【００２８】
この発明を例によって説明してきたが、上掲の特許請求の範囲を離れることなく変形および改良が可能であることを理解されたい。
【図面の簡単な説明】
【図１】スプレー噴霧器と使用するためのハウジングの三次元図である。
【図２】図１に関して上述のスプレー噴霧器の三次元図である。
【図２ａ】図２のスプレー噴霧器の詳細を示す図である。
【図３】ハウジングの一部分に装着されたスプレー噴霧器を示す概略図である。
【図４】代替のハウジングおよびスプレー噴霧器の組合せの一部分を示す図である。
【図５】図４で述べたハウジングの一部分を形成するブラケットを示す図である。
【国際公開パンフレット】
2004513770.tif 000003
2004513770.tif 000004
2004513770.tif 000005
2004513770.tif 000006
2004513770.tif 000007
2004513770.tif 000008
2004513770.tif 000009
2004513770.tif 000010
2004513770.tif 000011
2004513770.tif 000012
2004513770.tif 000013
2004513770.tif 000014
2004513770.tif 000015
2004513770.tif 000016
2004513770.tif 000017
2004513770.tif 000018
2004513770.tif 000019
2004513770.tif 000020
2004513770.tif 000021
2004513770.tif 000022
【手続補正書】
【提出日】平成14年9月27日(2002.9.27)
【手続補正１】
【補正対象書類名】明細書
【補正対象項目名】特許請求の範囲
【補正方法】変更
【補正の内容】
【特許請求の範囲】
【請求項１】
一体型内蔵式自動スプレー噴霧器および壁に取付け可能なハウジングを有する噴霧手段であって、前記噴霧器は、それを前記ハウジングに対して保持することができ、それが実質的に前記ハウジング内にありかつ前記ハウジングによって実質的に隠され、前記噴霧器が自動的かつ定期的にスプレー材料のスプレーを前記ハウジングの外側の空気に排出できるようになっており、所望の場合、前記噴霧器は、前記ハウジングから実質的に着脱可能であり、ハウジングから離して位置付けてスプレー材料のスプレーをさらに自動的かつ定期的にさらに遠くの空気に排出することができ、前記自動噴霧器は、そのように設定された後は人間が介入することなく前記スプレーを定期的に排出するように設定可能であるという点で自動的であり、前記噴霧器は、それがスプレー散布部およびスプレー材料貯蔵部を有することをさらに特徴とし、前記スプレー材料貯蔵部は供給する前記スプレー材料を保持し、前記スプレー材料貯蔵部は、前記スプレー貯蔵部およびそれに対応して前記スプレー材料を取替えることができるように前期スプレー散布部から着脱可能である、噴霧手段。
【請求項２】
前記ハウジングは、第１の部分および第２の部分を有し、前記第１の部分は前記ハウジングを開放するために前記第２の部分に対して移動可能であり、前記ハウジングは、前記ハウジングの外面のごく近くの前記スプレーの動きの方向に関して実質的に垂直および／または実質的に水平に最初に述べたスプレーを前記ハウジングの外側の空気に放出できるように形成される、請求項１に記載の噴霧手段。
【請求項３】
前記ハウジングは、前記スプレー噴霧器が前記ハウジングから許可なく取外されるのを防止するためにロック手段を有する、請求項１または２に記載の噴霧手段。
【請求項４】
前記ロック手段は、前記ハウジングの前記第１の部分および第２の部分を互いに対してロックするように作動させることができる、請求項３に記載の噴霧手段。
【請求項５】
前記ハウジングの前記第１の部分および第２の部分は、前記スプレー噴霧器の前記ハウジングからの取外しまたは前記スプレー噴霧器の前記ハウジングへの挿入を容易にするために、互いから着脱可能である、請求項２、３および４のいずれかに記載の噴霧手段。
【請求項６】
前記ハウジングの前記第１の部分は、建築構造に取付けるように適合される板を含む、請求項２から５のいずれかに記載の噴霧手段。
【請求項７】
前記ハウジングの前記第２の部分は、前記ハウジングの前記第１の部分に取付け可能なカバーを含む、請求項２から６のいずれかに記載の噴霧手段。
【請求項８】
前記ハウジングの前記第２の部分は、前記スプレー材料が前記ハウジング内から前記ハウジングの外側へ移動する際に通り抜けることのできる開口部を有する、請求項２から７のいずれかに記載の噴霧手段。
【請求項９】
前記ハウジングの前記第１の部分は内側環状部を有し、前記環状部は前記スプレー噴霧器の一部分を形成するフックを受入れるように適合される、請求項１から８のいずれかに記載の噴霧手段。
【請求項１０】
前記ハウジングの前記第１の部分は、前記スプレー噴霧器が前記ハウジングに装着される場合に前記スプレー噴霧器が安定器に当接し、このことによって前記スプレー噴霧器が実質的に垂直の配向を得るのが支援されるように配置され、前記ハウジングの前記第２の部分の方に突出する、安定器を有する、請求項２から９のいずれかに記載の噴霧手段。
【請求項１１】
前記スプレー噴霧器は全体的に前記ハウジング内に収まり得る、請求項１から１０のいずれかに記載の噴霧手段。
【請求項１２】
前記ハウジングの前記第１の部分は、建築構造に取付けるように適合される板を有し、前記スプレー噴霧器は、前記板に解放可能に取付け得るブラケットを有し、前記ブラケットは実質的に前記スプレー散布部を受入れるための棚板を有し、前記棚板は、それを通って前記スプレー散布部がねじで装着される関係で前記スプレー材料貯蔵部分に係合することのできる開口部を有する、請求項２から５のいずれかに記載の噴霧手段。
【請求項１３】
スプレーを空気中に噴霧する方法であって、
ｉ）　請求項１から１２のいずれかに記載の噴霧手段を獲得し、実質的に前記ハウジング内で前記スプレー噴霧器を建築構造に対して装着するステップと、
ｉｉ）　前記スプレー噴霧器を動作させて、スプレーの制御された定期的な用量を自動的に最初に述べた空気中に散布するステップとを含む、方法。
【請求項１４】
前記スプレーは、殺虫剤、香水、消臭剤または薬である、請求項１３に記載の方法。
【請求項１５】
前記スプレーは、実質的に垂直な進行経路でスプレー噴霧器から前進する、請求項１３または１４に記載の方法。
【請求項１６】
前記スプレー噴霧器は、予め定められた時間後に自動的に動作を停止するように設定される、請求項１３、１４または１５に記載の方法。
【国際調査報告】
2004513770.tif 000023
2004513770.tif 000024
2004513770.tif 000025